(57)【特許請求の範囲】
【請求項１】
基材表面に施された万線パターンからなる背景画像部と、前記万線パターンの任意の領域に前記背景画像部とほぼ同一の濃度となるように線群パターンを形成してなる潜像部から構成されているコピー偽造防止用紙において、
潜像部の線群パターンが、背景画像部の万線の１／２の線幅で、２本の直線の集合からなり、かつ背景画像部の万線と潜像部の直線とが互いに直角であって、さらに前記背景画像部の万線と潜像部の直線とが交差しないよう若しくは接しないように両者の間に間隔を設け、
且つ前記背景画像部の万線の端部と前記潜像部の直線との間に設けられた間隔と、前記潜像部の直線の端部と前記背景画像部の万線との間に設けられた間隔とは、各々前記潜像部の線と線の間隔Qと等しいことを特徴とするコピー偽造防止用紙。
【請求項２】
前記潜像部は、線群パターンの隣り合う２本の直線の端部が結合していることを特徴とする請求項１に記載のコピー偽造防止用紙。
【請求項３】
前記背景画像部及び潜像部は、直線が占める面積の割合が２５〜３０％で像を形成していることを特徴とする請求項１または２に記載のコピー偽造防止用紙。
【請求項４】
前記潜像部の線群パターンが、ピクセルの集合から構成されていることを特徴とする請求項１〜３のいずれか１項に記載のコピー偽造防止用紙。
【請求項５】
前記背景画像部及び潜像部は、刷色が彩度の低い濁色系の青、青緑、深緑のいずれからなることを特徴とする請求項１〜４のいずれか１項に記載のコピー偽造防止用紙。
【請求項６】
前記背景画像部及び潜像部は、さらに砂目状の白抜き部分が設けてあることを特徴とする請求項１〜５のいずれか１項に記載のコピー偽造防止用紙。
【請求項７】
前記背景画像部及び潜像部は、さらに地紋パターンが付加されていることを特徴とする請求項１〜５のいずれか１項に記載のコピー偽造防止用紙。
【請求項８】
請求項１〜７のいずれか１項に記載の偽造防止用紙を用いたことを特徴とする有価証券類。
【発明の詳細な説明】
【０００１】
【発明の属する技術分野】
本発明は、カラーコピー機などによる偽造を防止する技術を用いたコピー偽造防止用紙及びこれを使用した有価証券類に関するものである。
【０００２】
【従来の技術】
近年、カラーコピー機の性能の向上と共に、様々な偽造防止の手段が施された用紙が提案されている。この偽造防止策として、透かし模様、蛍光インキ、ホロクラム等を用いた技術が知られている。しかし、これらの技術は、コスト高になるので、次に記載する偽造防止パターンと共に金銭的価値を有するものに用いられることが一般的である。
偽造防止パターンは、パターンを作成すれば印刷等で用紙に印刷する偽造防止方法であるので、上記の透かし模様を用紙に形成する、ホログラムを貼り付ける等の方法に較べてコストが低いというメリットがある。
従って、金銭的にそれ程価値を有しないものに対しては、偽造防止パターンだけで偽造防止する場合もある。
【０００３】
コピーをすると通常は目に見えない隠し模様の潜像が現出し、コピーによる偽造を防止するこのような偽造防止パターンの例として、隠し模様の潜像と背景となる地紋とが異なった網点で構成されており、コピーをすると網点の大小の差が濃度差となり、隠し模様が出現するようにした偽造防止用紙が知られている。
【０００４】
しかしながら、網点の大小の差による隠し模様の潜像と背景とから構成される上記の従来の偽造防止用紙では、目が慣れてくると潜像が視認しやすくなる。
隠し模様の潜像部はある程度の大きさの面積を必要とし、その面積が大きくなると一層目視での視認が容易となる。また、隠し模様の潜像の上に別色の画像が加刷されると、コピーをすることで現出した隠し模様の中の特に文字の判別が困難になる等の問題があった。
【０００５】
【発明が解決しようとする課題】
本発明は、上記の課題を鑑みてなされたもので、隠し模様の肉眼での識別が不可能で、どのような濃淡および複写方式のコピー機で複写しても確実に隠し模様が現出して本券用紙と複写物との差異を明確にすることができる、低コストのコピー偽造防止用紙を提供することを目的とする。
【０００６】
【課題を解決するための手段】
上記目的を達成するために、請求項１記載の発明は、基材表面に施された万線パターンからなる背景画像部と、前記万線パターンの任意の領域に前記背景画像部とほぼ同一の濃度となるように線群パターンを形成してなる潜像部から構成されているコピー偽造防止用紙において、潜像部の線群パターンが、背景画像部の万線の１／２の線幅で、２本の直線の集合からなり、かつ背景画像部の万線と潜像部の直線とが互いに直角であって、さらに前記背景画像部の万線と潜像部の直線とが交差しないよう若しくは接しないように両者の間に間隔を設け、且つ前記背景画像部の万線の端部と前記潜像部の直線との間に設けられた間隔と、前記潜像部の直線の端部と前記背景画像部の万線との間に設けられた間隔とは、各々前記潜像部の線と線の間隔Qと等しいことを特徴とするコピー偽造防止用紙である。
【０００７】
また、請求項２記載の発明は、前記潜像部は、線群パターンの隣り合う２本の直線の端部が結合していることを特徴とする請求項１に記載のコピー偽造防止用紙である。
【０００８】
また、請求項３記載の発明は、前記背景画像部及び潜像部は、直線が占める面積の割合が２５〜３０％で像を形成していることを特徴とする請求項１または２に記載のコピー偽造防止用紙である。
以下本明細書ではパターンを形成している直線が占める面積の割合を大きくすれば濃度も大きくなり、比例的に変化するので、便宜的に濃度と表現する。
【０００９】
また、請求項４記載の発明は、前記潜像部の線群パターンが、ピクセルの集合から構成されていることを特徴とする請求項１〜３のいずれか１項に記載のコピー偽造防止用紙である。
【００１０】
また、請求項５記載の発明は、前記背景画像部及び潜像部は、刷色が彩度の低い濁色系の青、青緑、深緑のいずれからなることを特徴とする請求項１〜４のいずれか１項に記載のコピー偽造防止用紙である。
【００１１】
また、請求項６記載の発明は、前記背景画像部及び潜像部は、さらに砂目状の白抜き部分が設けてあることを特徴とする請求項１〜５のいずれか１項に記載のコピー偽造防止用紙である。
【００１２】
また、請求項７記載の発明は、前記背景画像部及び潜像部は、さらに地紋パターンが付加されていることを特徴とする請求項１〜５のいずれか１項に記載のコピー偽造防止用紙である。
【００１３】
更に、請求項８記載の発明は、請求項１〜７のいずれか１項に記載の偽造防止用紙を用いたことを特徴とする有価証券類である。
【００１４】
【発明の実施の形態】
以下、図面に従って、本発明のコピー偽造防止用紙の具体的な実施形態を詳細に説明する。
【００１５】
図１は、本発明のコピー偽造防止用紙の一実施例を説明するものであり、（ａ）は模式的に示した平面図、（ｂ）は背景画像部（１）と潜像部（２）の境界部（イ）の拡大図、（ｃ）は潜像部を構成している２本の直線の端部（３）が結合している境界部の拡大図をそれぞれ示している。
説明の都合上、隠し模様の潜像部（２）は実線で「ＣＯＰＹ」と描かれているが、実際には潜像であるため実線は設けれらているものではない。
【００１６】
この図１において、背景画像部（１）と潜像部（２）が視覚的に略同一の濃度になるようにする。
すなわち、背景画像部（１）を構成している万線のピッチをＰ１、線幅Ｄ１とすれば、この背景画像部の万線パターンと同一濃度にする潜像部（２）の線群パターンの線幅Ｄ２は万線の線幅Ｄ１の１／２にし、２本一組で万線の線幅Ｄ１と等しく、ピッチＰ２をＰ１に等しくし、背景画像部の万線と互いに直角になるようにする。
また、図１（ｃ）に示すように、潜像パターンの２本の直線の端部を結合させることでコピーされた場合、潜像が見やすくなり判別し易くなる効果がある。
【００１７】
具体的な例として、背景画像部（１）の万線のピッチＰ１＝０．３７ｍｍ、線幅Ｄ１＝０．１１ｍｍとした場合、濃度は約３０％となる。
この背景画像部（１）と視覚的に同一濃度にするには、潜像部（２）の１本の線幅Ｄ２＝０．０５５ｍｍ、線と線の間隔Ｑ＝０．１１ｍｍ、ピッチＰ２を万線のピッチＰ１＝０．３７ｍｍに等しくなるように形成する。
【００１８】
この偽造防止パターンは、背景画像部（１）を構成する万線と潜像部（２）を構成する直線とが水平垂直関係にあるため、両者が交差若しくは接してしまうと、その部分が他の部分に較べ濃く見えてしまい、あからさまに潜像を施していると判断できてしまうので、これを避けるために両者の間隔を開ける必要がある。背景画像部の万線の端と潜像部の直線との間隔は０．１０ｍｍ、潜像部の直線の端と背景部の万線との間隔は０．１３ｍｍにすると良い。
【００１９】
このコピー偽造防止パターンの使用方法としてデザインのバック（地紋）として使用されることからすると他のデザインに影響を与えない濃度が好ましく、通常の印刷物のバック（地紋）の濃度も１０％〜３０％が多くみられる。しかし本発明は潜像を施しているため、濃度（パターンを形成している直線が占める面積の割合）を低く設定すると、コピー後の潜像による効果は薄く、高くすると潜像がバックに溶け込んでしまい潜像が確認しずらくなる。従って背景画像部（１）と潜像部（２）の適正濃度を２５％〜３０％にすることが好ましい。
【００２０】
更に背景画像部と潜像部が水平、垂直の線の集合でパターンを構成しているため、潜像部に表現される絵柄や文字などの輪郭に曲線を用いていると、背景画像部と潜像部の境界で線を斜めにカットしなければならなくなり、偽造防止パターン形成が難しくなる。従って、プリンターの文字、図形形成と同様に図２に示すようにピクセルの集合で文字や図形等を形成することで偽造防止パターンの作成が簡単となる。
【００２１】
背景画像部（１）と潜像部（２）の刷り色は、特に限定されるものではないが種種の色で印刷し、コピーされる前は潜像を設けていることが判り難く、コピー後は潜像が浮き出てくる色として、彩度の低い濁色系の青、青緑、深緑が好ましい。
【００２２】
本発明の偽造防止パターンに、潜像を設けたことをより判らなく隠蔽できるような砂目状、或いは一般的に偽造防止に用いられている地紋パターンを付加することが望ましい。（図４，５参照）
【００２３】
本発明のコピー偽造防止用紙は、基材上に地紋の画線部および潜像部を印刷する方法は公知の印刷手段を任意に用いて行えばよい。また、用いられる基材は、一般に紙基材であるが、本発明が適用されるものによっては、基材は種々の材質が用いられる。
【００２４】
図３〜図５に本発明のコピー偽造防止用紙の上記具体例の数値に基づいた一実施例をコピーした複写物を模式的に示した平面図である。
潜像部のパターンは、複写すると、潜像である「ＣＯ」のパターンが、背景画像部と異なった色で現出し［図３〜図５に於ける（ｂ）］、コピーされたことが判るようになっている。
なお、図は実物を拡大して作成したものであり、本券の潜像部「ＣＯ」は視認できるように成っているが、実物は視認できないように成っていることを念のため付言しておく。
【００２５】
また、図４は背景画像部と潜像部に潜像パターンをカモフラージュするために、砂目状のパターンで白抜きした偽造防止用紙（本券）とこれをコピーしたものを示すものである。また、図５は文字の地紋を付加した偽造防止用紙（本券）とこれをコピーしたものを示すものである。
【００２６】
このような本券をコピーすると、実際の刷り色とは変化し異なる色で現出する。例えば、彩度の低い濁色系の深緑で印刷した本券をカラーコピーした場合、背景画像部は濃度の高い黒色系の色で現出され、潜像部は刷り色の深緑で現出し、背景画像部と潜像部は異なる色となる。したがって、本券とはコピーされたものは明らかに異なり、十分見分けがつく差異が生じる。従って、本券用紙と複写物との差異を目視で明確に判別することができる。
【００２７】
本発明のコピー偽造防止用紙は、株債権、商品券、ギフトカード、印鑑登録書、ゴミ回収票、その他の証明書等の各種有価証券類の用紙に利用される。
この偽造防止パターンは単独で、或いは偽造防止効果を高めるため他の偽造防止方法と併用されて使用される。
【００２８】
【発明の効果】
以上説明したように、本発明のコピー偽造防止用紙は、肉眼では識別が困難な図柄や文字が現出し、本券用紙とは異なった複写物を得ることができた。また、特殊なインキを必要とせず、従来の印刷技術で対応できることから、様々の印刷物に適用しても低コストで得られる。
【００２９】
従来の網点の大小の差による隠し模様の潜像パターンに比較して、コピー機の走査方向によっては、本発明における潜像部以外の画線部の万線パターンはモアレが発生し易いために、一層複写物との判別が容易となる。
また、網点の大小の差による隠し模様の潜像パターンは目が慣れてくるとパターンが視認し易くなるのに対して、本発明における隠し模様の潜像部が線群パターンであるために目視での視認が困難である。
【００３０】
本発明において用いられるパターンは、地紋模様としての装飾効果をもたらし、印刷物のデザインを損なうことがない。
【図面の簡単な説明】
【図１】本発明のコピー偽造防止用紙の一実施例を説明するものであり、
（ａ）は模式的に示した平面図、
（ｂ）は背景画像部と潜像部の境界部（イ）の拡大図、
（ｃ）は潜像部を構成している２本の直線の端部が結合している境界部の拡大図、をそれぞれ示している。
【図２】潜像部の線群パターンがピクセルの集合から構成されていることを示す平面図である。
【図３】本発明の偽造防止用紙とこれをコピーした複写物の一例を示す模式図である。
【図４】本発明の他の偽造防止用紙とこれをコピーした複写物の一例を示す模式図である。
【図５】本発明の他の偽造防止用紙とこれをコピーした複写物の一例を示す模式図である。
【符号の説明】
１…背景画像部
２…潜像部
３…結合部
【図１】
0004380107.tif 000002
【図２】
0004380107.tif 000003
【図３】
0004380107.tif 000004
【図４】
0004380107.tif 000005
【図５】
0004380107.tif 000006